(57)【要約】      （修正有）【課題】起立状態で保持されたし柱部味を不用意に倒伏させることがないように下側柵装置を提供する。【解決手段】ベッド本体の幅方向の側部に、長手方向に対して所定間隔で下端が回動可能に支持されて設けられた複数の支柱部材９と、複数の支柱部材９の上端が回動可能に連結された上部横部材１１と、支柱部材９を起立させたときに上部横部材１１に対して支柱部材９を回動不能に保持し、支柱部材９の保持状態を解除してベッド本体の長手方向に倒伏させることができるストッパ機構１４を具備し、ストッパ機構１４は、上部横部材の端部下面に設けられたケース１５と、その操作によって起立状態で回動不能に保持された支柱部材９を倒伏させることができる操作レバー２１と、ケースの側面に回動可能に設けられ操作レバー２１を操作不能に保持しているとともに、その回動操作によって操作レバー２１を操作可能とする解除レバーを具備する。【選択図】図４
2012120568.tif 000002
【特許請求の範囲】
【請求項１】
ベッド本体の幅方向の側部に、この幅方向と交差する長手方向に倒伏可能に設けられたベッド用側柵装置であって、
上記ベッド本体の幅方向の側部に、この側部の長手方向に対して所定間隔で下端が回動可能に支持されて設けられた複数の支柱部材と、
複数の支柱部材の上端が回動可能に連結された上部横部材と、
上記支柱部材を起立させたときに上記上部横部材に対して上記支柱部材を回動不能に保持するとともに、上記支柱部材の保持状態を解除して上記ベッド本体の長手方向に倒伏させることができるストッパ機構を具備し、
上記ストッパ機構は、
上記上部横部材の端部下面に設けられたケースと、
このケースの下面側から一部を露出させて回動可能に設けられその操作によって起立状態で回動不能に保持された上記支柱部材を倒伏させることができる操作レバーと、
上記ケースの側面に回動可能に設けられ上記操作レバーを操作不能に保持しているとともに、その回動操作によって上記操作レバーを操作可能とする解除レバーと
を具備したことを特徴とするベッド用側柵装置。
【請求項２】
ベッド本体の幅方向の側部に、この幅方向と交差する長手方向に倒伏可能に設けられたベッド用側柵装置であって、
上記ベッド本体の幅方向の側部に、この側部の長手方向に対して所定間隔で下端が回動可能に支持されて設けられた複数の支柱部材と、
複数の支柱部材の上端が回動可能に連結された上部横部材と、
上記支柱部材を起立させたときに上記上部横部材に対して上記支柱部材を回動不能に保持するとともに、上記支柱部材の保持状態を解除して上記ベッド本体の長手方向に倒伏させることができるストッパ機構を具備し、
上記ストッパ機構は、
上記上部横部材の端部下面に設けられたケースと、
このケースの下面側から一部を露出させて回動可能に設けられた操作レバーと、
この操作レバーをその一部が上記ケースの下面側から露出する方向に付勢した第１のばねと、
上記操作レバーに設けられこの操作レバーが上記第１のばねによって付勢されているときに上記ストッパ機構の近くに位置する１つの支柱部材の上部に設けられた突起に係合して上記支柱部材を起立した状態で倒伏不能に保持する係合部と、
上記ケースの側面に回動可能に設けられ第２のばねによって所定方向に付勢された解除レバーと、
上記ケースの内部に上記解除レバーと一体的に設けられ上記支柱部材が起立した状態で上記解除レバーが上記第２のばねの付勢力によって回動した状態で上記操作レバーに係合してこの操作レバーを操作不能に保持し、上記解除レバーを上記第２のばねの付勢力に抗して回動させることで上記操作レバーとの係合状態が解除されてこの操作レバーを操作可能にするストッパ部材と
を具備したことを特徴とするベッド用側柵装置。
【発明の詳細な説明】
【技術分野】
【０００１】
この発明はベッド本体の側部に起伏可能に設けられる複数の支柱部材を有するベッド用側柵装置に関する。
【背景技術】
【０００２】
たとえば、介護用などのベッド装置においては、利用者や利用者に掛けられた寝具などがベッド本体上から落下するのを防止するため、ベッドの側部に側柵を設けることができるようにしている。側柵には種々の構成のものがあり、その１つとしてベッド本体の幅方向の側部に、その幅方向と交差する長手方向に沿って折り畳み可能な構成とすることが知られている。
【０００３】
上記構成の側柵は、ベッド本体の、たとえばサイドフレームに、複数の支柱部材の下端が長手方向に対して所定間隔で回動可能に連結されて設けられる。各支柱部材の上端は上部横部材に対して所定方向、つまりベッド本体の長手方向に対して一方向に回動可能に連結されている。
【０００４】
上記上部横部材には、上記支柱部材をほぼ垂直に起立させたとき、そのうちの１つの支柱部材の上端部に設けられた突起に係合し、複数の支柱部材を起立状態で倒伏不能、つまり上記位置方向に対して回動不能に保持するストッパ機構が設けられている。
【０００５】
上記ストッパ機構は、上記支柱部材の起立状態を解除するための操作ハンドルが設けられ、この操作ハンドルを操作することで、上記支柱部材の起立状態を解除できるようになっている。
【０００６】
上記支柱部材が起立状態で保持されているとき、上記ストッパ機構を不用意に操作すると、上記支柱部材の起立状態が解除されることになる。そこで、上記ストッパ機構が不用意に操作されて上記支柱部材の起立状態が解除されることがない構成が採用されている。
【０００７】
上記操作ハンドルを不用意に操作できないようにするための構造として、上記ストッパ機構に上記操作ハンドルのロック機構を設け、このロック機構によるロック状態を解除したときにだけ、上記操作ハンドルを操作できるようにしている。
【０００８】
従来、上記ストッパ機構は、上記上部横部材の長手方向の一端部に設けられたケースを有し、このケースの下面側に一部を露出させて操作レバーが設けられ、上記ケースの上面に、上記支柱部材が起立状態で保持されたときに、上記操作レバーの操作を不能とするストッパ部材を設けるようにしている。
【０００９】
そして、上記支柱部材を倒伏させるときには、上記上部横部材の長手方向の一端部に設けられたケースを握って上記操作レバーを回動操作しながら、上記ストッパレバーを上記上部横部材の長手方向に沿ってスライド操作することで、上記ロック機構によるロック状態を解除して上記支柱部材を倒伏させるようにしている。
【先行技術文献】
【特許文献】
【００１０】
【特許文献１】特許第３０２９０２６号公報
【発明の概要】
【発明が解決しようとする課題】
【００１１】
しかしながら、上述した構成のストッパ機構によると、たとえばベッド本体上で仰臥した利用者が上記上部横部材の端部を掴んで立ち上がるとき、上記上部横部材の端部に設けられたストッパ機構のケースを握ってしまうことがある。ストッパ機構のケースを握ると、上記操作レバーが操作されることがあり、それと同時にケースを握った手がその上面に設けられたストッパ部材に掛かることになるから、このストッパ部材をスライドさせてしてしまうということがある。
【００１２】
その場合、ストッパ機構のロック状態が解除され、起立状態にある支柱部材が倒伏することになるから、利用者はベッド本体上で立ち上がる際に身体のバランスを崩して転倒するなどのことがあり、安定した姿勢で確実に立ち上がることができないということになる。
【００１３】
この発明は、ベッド本体上で仰臥した利用者が立ち上がるときなどに上部横部材に設けられたストッパ機構を掴んで操作レバーを操作するようなことがあっても、この操作レバーと一緒にストッパ部材が容易に操作されることがないようにしたベッド用側柵装置を提供することにある。
【課題を解決するための手段】
【００１４】
この発明は、ベッド本体の幅方向の側部に、この幅方向と交差する長手方向に倒伏可能に設けられたベッド用側柵装置であって、
上記ベッド本体の幅方向の側部に、この側部の長手方向に対して所定間隔で下端が回動可能に支持されて設けられた複数の支柱部材と、
複数の支柱部材の上端が回動可能に連結された上部横部材と、
上記支柱部材を起立させたときに上記上部横部材に対して上記支柱部材を回動不能に保持するとともに、上記支柱部材の保持状態を解除して上記ベッド本体の長手方向に倒伏させることができるストッパ機構を具備し、
上記ストッパ機構は、
上記上部横部材の端部下面に設けられたケースと、
このケースの下面側から一部を露出させて回動可能に設けられその操作によって起立状態で回動不能に保持された上記支柱部材を倒伏させることができる操作レバーと、
上記ケースの側面に回動可能に設けられ上記操作レバーを操作不能に保持しているとともに、その回動操作によって上記操作レバーを操作可能とする解除レバーと
を具備したことを特徴とするベッド用側柵装置にある。
【００１５】
この発明は、ベッド本体の幅方向の側部に、この幅方向と交差する長手方向に倒伏可能に設けられたベッド用側柵装置であって、
上記ベッド本体の幅方向の側部に、この側部の長手方向に対して所定間隔で下端が回動可能に支持されて設けられた複数の支柱部材と、
複数の支柱部材の上端が回動可能に連結された上部横部材と、
上記支柱部材を起立させたときに上記上部横部材に対して上記支柱部材を回動不能に保持するとともに、上記支柱部材の保持状態を解除して上記ベッド本体の長手方向に倒伏させることができるストッパ機構を具備し、
上記ストッパ機構は、
上記上部横部材の端部下面に設けられたケースと、
このケースの下面側から一部を露出させて回動可能に設けられた操作レバーと、
この操作レバーをその一部が上記ケースの下面側から露出する方向に付勢した第１のばねと、
上記操作レバーに設けられこの操作レバーが上記第１のばねによって付勢されているときに上記ストッパ機構の近くに位置する１つの支柱部材の上部に設けられた突起に係合して上記支柱部材を起立した状態で倒伏不能に保持する係合部と、
上記ケースの側面に回動可能に設けられ第２のばねによって所定方向に付勢された解除レバーと、
上記ケースの内部に上記解除レバーと一体的に設けられ上記支柱部材が起立した状態で上記解除レバーが上記第２のばねの付勢力によって回動した状態で上記操作レバーに係合してこの操作レバーを操作不能に保持し、上記解除レバーを上記第２のばねの付勢力に抗して回動させることで上記操作レバーとの係合状態が解除されてこの操作レバーを操作可能にするストッパ部材と
を具備したことを特徴とするベッド用側柵装置にある。
【発明の効果】
【００１６】
この発明によれば、上横部材の端部下面にストッパ機構のケースを設け、このケースの下面側から一部を露出させて操作レバーを回動可能に設けるとともに、上記ケースの側面に回動操作される解除レバーを設け、この解除レバーを回動操作した状態のときにだけ、上記操作レバーを操作して起立状態で保持された支柱部材を倒伏させることができるようにした。
【００１７】
そのため、利用者がベッド本体上から立ち上がる場合などに、上部横部材のストッパ機構が設けられた端部を把持した際に、上記操作レバーを回動操作してしまっても、上記操作レバーを把持した手でさらにカバーの側面に回動可能に設けられた解除レバーを容易に回動操作することができないから、起立状態で保持された支柱部材を不用意に倒伏させるのを防止することができる。
【図面の簡単な説明】
【００１８】
【図１】この発明の一実施の形態を示す側柵装置が設けられたベッド装置の斜視図。
【図２】図１に示す側柵装置の支柱部材を起立状態から倒伏させた状態を示す正面図。
【図３】ストッパ機構の正面図。
【図４】上記ストッパ機構の断面図。
【発明を実施するための形態】
【００１９】
以下、この発明の一実施の形態を図面を参照しながら説明する。
【００２０】
図１に示すベッド装置１はベッド本体２を備えている。このベッド本体２には、図示しない上下駆動機構によってベッドフレーム３が高さ調節可能に設けられている。ベッドフレーム３の長手方向一端にはヘッドボード４が設けられ、他端にはフットボード５が設けられている。
【００２１】
上記ベッドフレーム３には、上面にマットレス６が載置され、幅方向両端にはそれぞれ側柵装置７が設けられている。この側柵装置７はベッドフレーム３の側部に長手方向に沿って設けられた下部取り付け部材８を有する。この下部横部材８には長手方向に所定間隔で複数の支柱部材９が下端を回動可能に連結して設けられている。
【００２２】
各支柱部材９の上端部は上部横部材１１に回動可能に連結されている。つまり、上部横部材１１には断面コ字状の取付け部材１２が長手方向に沿って所定間隔で、しかも開放した一側面を同じ方向、この実施の形態ではフットボード５側に向けて取り付けられており、各取付け部材１２に上記支柱部材９の上端部が回動可能に連結されている。
【００２３】
したがって、側柵装置７は、支柱部材９をほぼ垂直に起立させた状態から、図１に矢印で示すヘッドボード４側に倒伏させて折り畳むことができるようになっている。図２は上記側柵装置７を折り畳んだ状態を示している。
【００２４】
上記上部取り付け部材１１のヘッドボード４側に位置する長手方向の一端部にはストッパ機構１４が設けられている。このストッパ機構１４は図３と図４に示すようにケース１５を有する。このケース１５は上面と下面が開口した扁平筒状に形成されていて、その上部を図４に示すように上記上部横部材１１の端部下面に形成された凹部１６に係合させるとともに、長手方向の一端部と他端部をそれぞれねじ１７によって上記上部取り付け部材１１に固定されて設けられている。なお、上記上部取り付け部材１１の末端にはキャップ１８が嵌着されている。
【００２５】
上記ケース１５には、側面形状がＬ字状の操作レバー２１が中途部を第１の支軸２２によって上記ケース１５に回動可能に支持されて設けられている。上記第１の支軸２２には第１のばねとしての第１のねじりばね２３の中途部に形成されたコイル部が装着されている。
【００２６】
上記第１のねじりばね２３の一方のアーム２３ａはＬ字状の上記操作レバー２１の一辺に形成された操作部２１ａの内面に係合し、他方のアーム２３ｂは上記上部横部材１１の凹部１６内面に復元力に係合させている。
【００２７】
それによって、上記操作レバー２１は上記第１のねじりばね２３の付勢力によって図４に矢印で示すように、上記操作部２１ａが上記ケース１５の下端開口から下方へ突出する方向に付勢されている。つまり、上記操作部２１ａは上記ケース１５の下面開口から外部に露出している。
【００２８】
Ｌ字状の上記操作レバー２１の他辺には凹状の係合部２５が形成されている。さらに、上記ケース１５には、最もヘッドボード４側に位置する支柱部材９の上部を第２の支軸２６によって枢着する取付け部１２ａが形成されている。この取付け部１２ａは断面コ字状であって、下面及び上記フットボード５側の側面が開放している。つまり、上記取付け部材１２とほぼ同じ形状に形成され、この取付け部材１２と同じ方向の側面が開放している。
【００２９】
上記ケース１５の取付け部１２ａに枢着された上記支柱部材９の外面には、この支柱部材９が起立状態にあるときに、上記操作レバー２１のケース１５に形成された係合部２５に係合して上記支柱部材９がヘッドボード４側に倒伏するのを阻止する軸状の突起２７が上記支柱部材９に取付けられた取付け部材２６ａに突設されている。つまり、上記突起２７が係合部２５に係合することで、上記側柵装置７の複数の支柱部材９は起立した状態で保持される。
【００３０】
上記突起２７が上記係合部２５に係合した状態で、図４に鎖線で示すように、上記操作レバー２１を上記第１のねじりばね２３の付勢力に抗して回動させれば、上記突起２７から上記係合部２５を外すことができる。それによって、上記支柱部材９、つまり上記側柵装置７の複数の支柱部材９は上記ヘッドボード４側に倒伏可能となる。
【００３１】
なお、上記ケース１５にヘッドボード４側の支柱部材９を支持する取付け部１２ａを形成したが、それに代わって最も上記ヘッドボード４側に位置する上記支柱部材９を、他の支柱部材９と同様、上記上部横部材１１に設けた取付け部材１２によって枢着し、その支柱部材９の突起２７を設けるようにしてもよい。
【００３２】
上記ケース１５の内部であって、上記操作レバー２１の一辺側には第２のばねとしての第２のねじりばね２８が第３の支軸２９によって中途部が支持されて設けられている。上記第３の支軸２９には、連結片３１の一端が連結固定され、この連結片３１の他端には断面形状がコ字状のストッパ部材３２が設けられている。なお、上記第３の支軸２９は上記ケース１５の側面間に回動可能に支持されている。
【００３３】
上記第２のねじりばね２８の一端２８ａは上記上部横部材１１の下面に係合し、他端２８ｂは上記ストッパ部材３２に係合している。それによって、上記ストッパ部材３２は上記第２のねじりばね２８によって図４に矢印で示す方向に付勢され、その一側辺が上記操作レバー２１の上記操作部２１ａの内面に当接している。
【００３４】
上記ストッパ部材３２が上記操作部２１ａの内面に当接していることで、上記操作レバー２１を把持しても、この操作レバー２１を第１のねじりばね２３の付勢力に抗して回動させることができないようになっている。つまり、操作レバー２１の係合部２５を支柱部材９の突起２７から外し、支柱部材９を倒伏方向に回動させることができないようになっている。
【００３５】
上記第３の支軸２９の一端は上記ケース１５の側面に突出し、その突出端には図３に示す解除レバー３３が一体的に取付けられている。つまり、上記ケース１５の側面に解除レバー３３が設けられている。この解除レバー３３を、上記第２のねじりばね２８の付勢力に抗して同図に矢印で示す方向に回動させれば、その回動に上記ストッパ部材３２が連動して回動する。
【００３６】
それによって、上記ストッパ部材３２の一側面は上記操作部２１ａの内面から外れるから、その状態で上記操作レバー２１を握れば、この操作レバー２１を第１のねじりばね２３の付勢力に抗して回動させることができるので、その係合部２５を上記支柱部材９の突起２７から外して側柵装置７の複数の支柱部材９を倒伏させることができる。
【００３７】
このように構成された側柵装置７によれば、利用者がマットレス６上で仰臥した状態から立ち上がる場合、上記側柵装置７の上部横部材１１のヘッドボード４側に位置する一端部を把持して立ち上がることがある。とくに、利用者が老人や足腰が不自由な人の場合、上記上部横部材１１の一端部を把持して立ち上がることが多くなる。
【００３８】
そのとき、上記上部横部材１１の一端部を把持すると同時に、この一端部に設けられた上記ストッパ機構１４のケース１５に設けられた操作レバー２１を把持してしまうことがある。しかしながら、操作レバー２１はケース１５内に設けられたストッパ部材３２によって回動不能にロックされている。
【００３９】
そのため、利用者が上記上部横部材１１の一端部の把持と同時に、上記操作レバー２１を単に把持するだけでは、この操作レバー２１を第１のねじりばね２３の付勢力に抗して回動させることができないから、上記操作レバー２１の係合部２５を上記支柱部材９の突起２７から外すことができない。つまり、側柵装置７の複数の支柱部材９を倒伏させることができない。
【００４０】
したがって、利用者は起立状態で保持された側柵装置７を利用してマットレス６上で容易に、しかも安定して立ち上がることができる。
【００４１】
上記側柵装置７の支柱部材９を倒伏させるには、ケース１５の側面に設けられた解除レバー３３を、第２のねじりばね２８の付勢力に抗して図３に矢印で示す方向へ回動させて上記ストッパ部材３２の一側面を操作部２１ａの内面から離した状態で、上記操作レバー２１を握り、この操作レバー２１を第１のねじりばね２３の付勢力に抗して回動させる。
【００４２】
それによって、上記操作レバー２１の係合部２５と支柱部材９の突起２７との係合状態が解除されるから、上記側柵装置７の複数の支柱部材９を倒伏させることができる。
【００４３】
すなわち、上記構成の側柵装置７によれば、操作レバー２１の操作をロックするストッパ部材３２を、上記操作レバー２１が下面から露出して設けられたケース１５の側面に回動可能に設け、このストッパ部材３２を回動させることで上記操作レバー２１のロックを解除できるようにしている。
【００４４】
そのため、上記操作レバー２１が設けられた上部横部材１１の端部を上記操作レバー２１とともに把持しても、その把持動作と上記ストッパ部材３２を回動させる動作とでは大きく異なるから、上記操作レバー２１の把持動作と一緒に上記ケース１５の側面に設けられた解除レバー３３を回動させるということがない。
【００４５】
つまり、利用者がマットレス６上で立ち上がるような場合、上部横部材１１のストッパ機構１４が設けられた端部を把持しても、上記操作レバー２１が不用意に操作されることがないから、起立状態にある支柱部材９が不用意に倒伏するということを防止することができる。
【００４６】
なお、倒伏状態にある支柱部材９を起立方向に回動させれば、最もヘッドボード４側に位置する支柱部材９に設けられた突起２７が操作レバー２１の係合部２５に自動的に係合するから、上記支柱部材９を起立状態で保持することができる。
【符号の説明】
【００４７】
２…ベッド本体、７…側柵装置、９…支柱部材、１１…上部横部材、１４…ストッパ機構、１５…ケース、２１…操作レバー、２３…第１のねじりばね（第１のばね）、２５…係合部、２７…突起、２８…第２のねじりばね（第２のばね）、３２…ストッパ部材、３３…解除レバー。
【図１】
2012120568.tif 000003
【図２】
2012120568.tif 000004
【図３】
2012120568.tif 000005
【図４】
2012120568.tif 000006